(57)【特許請求の範囲】
【請求項１】
吊り対象物に一端を保持する保持部を有すると共に、他端に留めを有する２本の吊紐と、各吊紐が挿通され且つ当該吊紐に加圧状態で接触する摩擦材を内設する２つの調整部と、調整部同士を接続する首掛け紐と、
を備えたことを特徴とする吊具。
【請求項２】
前記調整部は、表面に多数の可撓性の毛状又は突起が設けられた面ファスナー、ブラシ、起毛布その他の植毛材を加圧状態で前記吊紐に接触させるよう調整部の本体に内設した構造であることを特徴とする請求項１に記載の吊具。
【請求項３】
前記調整部は、弾力性を有するゴム、スポンジ、ウレタンを加圧状態で前記吊紐に接触させるよう調整部の本体に内設した構造であることを特徴とする請求項１に記載の吊具。
【請求項４】
前記調整部は、吊紐を挿通する筒体を本体内に設け且つ当該筒体は前記吊紐に対して略同じ又は若干小さい内径を有する構造であることを特徴とする請求項１に記載の吊具。
【請求項５】
前記調整部は、吊紐を挿通でき且つ吊紐の径に対して略同じ又は若干小さい寸法の隙間を本体に有する構造であることを特徴とする請求項２に記載の吊具。
【請求項６】
前記首掛け紐に止め具を設けたことを特徴とする請求項１〜５のいずれか一つに記載の吊具。
【発明の詳細な説明】
【技術分野】
【０００１】
本発明は眼鏡などを首から吊り下げる吊具に関するものである。
【背景技術】
【０００２】
従来の眼鏡ホルダーとしては、特許文献１に記載のものが知られている。この眼鏡ホルダーは、眼鏡のつるを保持するつる保持部が紐体の両端に設けられており、折り返した紐体に摺動可能に設けた止め具を有しており、この止め具により紐体の一部を束ねることで、紐体の長さを調節する。
【特許文献１】実開平１−１５３５２３号公報
【発明の開示】
【発明が解決しようとする課題】
【０００３】
上記従来の眼鏡ホルダーでは、眼鏡を外して首から吊るす際、眼鏡がぶらぶらと揺れて作業時の邪魔になるため、首の後ろで前記止め具を摺動させ、眼鏡がぶらぶらし難い程度の長さまで紐体の長さを調整するようにしていた。しかしながら、当該止め具が首の後ろに位置するため、首の後ろで止め具の位置を調整しなければならず、その調整が面倒であるという問題点があった。本発明は、これらの問題を解決するためになされたものである。
【課題を解決するための手段】
【０００４】
そこで、この発明にかかる吊具は、吊り対象物に一端を保持する保持部を有すると共に、他端に留め部を有する２本の吊紐と、各吊紐が挿通され且つ当該吊紐に加圧状態で接触する摩擦材を内設する２つの調整部と、調整部同士を接続する首掛け紐とを備えたことを特徴とする。
【０００５】
また、この発明にかかる吊具は、上記発明において、前記調整部は、表面に多数の可撓性の毛状又は突起が設けられた面ファスナー、ブラシその他の摩擦材を加圧状態で前記吊紐に接触させるよう調整部の本体に内設した構造であることを特徴とする。
【０００６】
また、この発明にかかる吊具は、上記発明において、前記調整部は、弾力性を有するゴム、スポンジ、ウレタンその他の摩擦材を加圧状態で前記吊紐に接触させるよう調整部の本体に内設した構造であることを特徴とする。
【０００７】
また、この発明にかかる吊具は、上記発明において、前記調整部は、吊紐を挿通でき且つ吊紐に対して略同じ又は若干小さい内径を有する筒体を本体に内設した構造であることを特徴とする。
【０００８】
また、この発明にかかる吊具は、上記発明において、前記調整部は、吊紐を挿通でき且つ吊紐の径に対して略同じ又は若干小さい寸法の隙間を本体に有する構造であることを特徴とする。
【０００９】
また、この発明にかかる吊具は、上記発明において、前記首掛け紐に止め具を設けたことを特徴とする。
【発明を実施するための最良の形態】
【００１０】
（実施の形態１）
図１は、この発明の実施の形態１にかかる眼鏡保持具を示す説明図である。図２は、紐を示す説明図である。図３および図４は、調整機構を示す組立図、図５は、眼鏡紐を調整機構の本体に挿通した状態を示す組立図である。この眼鏡保持具１００は、眼鏡を吊って保持するための左右２本の眼鏡紐６０（吊紐）と、眼鏡紐６０の長さを調節する左右２個の調整機構５０と、紐留め金具７１を両端に有し前記調整機構５０同士を接続する首掛け紐７０とから構成されている。
【００１１】
眼鏡紐６０は、その一端には眼鏡のつるを保持するための保持部２２が設けられている。この保持部２２にはゴム製の輪が設けられ、眼鏡のつるは、この輪に通されて固定される。また、眼鏡紐６０の他端には、一般的に流通している部品である留め２３が設けられている。当該留め２３は、眼鏡紐６０の他端を結んで形成してもよい。眼鏡紐６０は、レーヨン、絹、綿、ポリエステル等の材料からなる。
【００１２】
前記調整機構５０は、弁当箱形状の中空の本体１と、当該本体１の上下内面に設けた摩擦材としての植毛部９，１０と、眼鏡紐６０が通ることになる通り穴１１，１２と、眼鏡紐６０を折り返すための突起５とを有する。
【００１３】
前記本体１は、やや弾力性のあるプラスチック製であって上ケース４と下ケース３とを合わせた構造である。上ケース４の分割端面の一部には、先端に鍵部１８を有する平板状の凸部１６が垂設されている。下ケース３には、この凸部１６に対応した受け穴１７が設けられ、当該受け穴１７の中には前記鍵部１８を引っ掛けるための突起した固定部１９が設けられている。なお、本体は、金属、木、紙、ゴム等で構成しても良い。
【００１４】
前記植毛部９，１０としては、表面に多数の毛が設けられた、例えば面ファスナーの輪側を用いるのが好ましい。植毛部９，１０は、少なくとも通り穴１１，１２の近傍から本体１の中央付近まで設ける。好ましくは、下ケース３では突起５を避けて全ての面に設け、上ケース４では穴８を避けて全ての面に設けるようにする。
【００１５】
前記突起５は円柱形状であって下ケース３から上に向って垂設され且つ下ケース３の中央から通り穴１１に対して反対側にずれた位置に設けられる。また、突起５の上部は、上ケース４の対応する位置に設けた穴８に嵌合する。また、下ケース４の外側には、突起状の連結部１４と、当該連結部１４に設けたリング１５とを有する。
【００１６】
図５に示すように、本体１を組み立てる場合は、眼鏡紐６０を、前記通し穴１２を通じて本体１に入れ、植毛部１０上に載せ、続いて突起５に掛けて反対に折り返し、再び植毛部１０上に載せ、通し穴１２を通じて本体１から出す。眼鏡紐６０の保持部２２と留め２３は本体１の外に位置する。次に、上ケース４を下ケース３に取り付ける。具体的には、図４（ａ）に示すように、上ケース４の凸部１６を下ケース３の受け穴１７に差込み、図４（ｂ）に示すように、凸部１６の鍵部１８を受け穴１７の固定部１９に係止する。これにより、眼鏡紐６０が通し穴１１，１２から本体内部に通され、突起５に掛かって折り返し、再び通し穴１１，１２から出ている状態となり且つ眼鏡紐６０の一端には保持部２２が他端には留め２３が設けられているから、眼鏡紐６０が本体１から抜けてしまうことがない。なお、このようなはめ殺し機構ではなく、本体１の上ケース４と下ケース３とは接着固定してもよいし、分解可能にしてもよい。
【００１７】
また、眼鏡紐６０は、本体１の内部にて上ケース４及び下ケース３に設けた植毛部９，１０により挟まれる。すなわち、前記眼鏡紐６０は、植毛部９，１０に上下から挟まれて当該植毛部９，１０と加圧状態で接触し、その摩擦力により当該眼鏡紐６０が制動される。眼鏡紐６０と植毛部９，１０との摩擦力は、植毛部９と植毛部１０との間隔により又は眼鏡紐６０の材質等により調整できる。この摩擦力による眼鏡紐６０の制動力は、眼鏡紐６０を手で引っ張ったときにはスムーズに動き、その一方で眼鏡を吊っているときには眼鏡の自重により動くことがない程度とする。
【００１８】
次に、この調整機構５０の本体に設けた連結部１４のリング１５に首掛け紐７０の紐留め金具７１を取り付ける。２つの調整機構５０は、この首掛け紐７０により接続されて最終的に図１に示すような形態となる。この首掛け紐７０は、調整機構５０が容易に操作できる位置にくるような長さとするのが好ましい。首掛け紐７０には、図７に示すように、上記従来の眼鏡ホルダーと同様の止め具３０を設けても良い。この首掛け紐７０は、レーヨン、絹、綿、ポリエステル等の繊維からなるものを用いることができる。
【００１９】
図６は、この眼鏡保持具の使用方法を示す説明図である。眼鏡保持具１００の保持部２２の輪に眼鏡のつるを差し込んで固定し、眼鏡保持具１００の首掛け紐７０を首に掛ける。この状態で、前記眼鏡紐６０は、調整機構５０から、その保持具２２が設けられた一端が図６（ａ）に示すように長く垂れ下がるので、ユーザが眼鏡を掛けるにちょうど良い長さとなる。次に、留め２３側の眼鏡紐６０を図６（ｂ）中の矢印方向に引っ張ると、保持部２２が引き上げられて眼鏡が首の下まで引き上げられ、眼鏡があたかも短い首掛け紐７０により吊られているのと同等になる。これにより、眼鏡が首の下でぶらぶらとし難くなるから、眼鏡が邪魔にならない。一方、眼鏡を掛けるときは、眼鏡自身または保持部２２側の眼鏡紐６０を引っ張ることで、眼鏡紐６０が引き出されて眼鏡を掛けやすい長さにできる（図６（ａ）参照）。
【００２０】
上記動作において、前記眼鏡紐６０は前記植毛部９，１０により挟まれてその摩擦力により制動されているだけなので、眼鏡紐６０を摩擦力以上の力で引っ張ることで当該眼鏡紐６０が調整機構５０内を摺動する。そして、眼鏡紐６０を引っ張っていない状態では、植毛部９，１０との間の摩擦力により眼鏡紐６０が制動されるので、眼鏡が自重により下がることはない。
【００２１】
以上、この発明の眼鏡保持具１００によれば、留め２３或いは留め２３側の眼鏡紐６０を引っ張ることで眼鏡を首の下近くに引き上げることができるので、眼鏡を外した際に眼鏡がぶらぶらと垂れ下がることがなく邪魔にならない。また、眼鏡を掛けるときは眼鏡紐６０を引っ張ることで簡単に適度な長さに調整できる。
【００２２】
なお、前記摩擦材として上記面ファスナーに代えて、ブラシ、起毛布を用いても良い。また、上記首掛け紐７０は、チェーンであっても良い。特に、面ファスナー等の多数の可撓性の毛状又は突起からなる摩擦材は、紐のような表面が比較的均一な形のもののみならず、チェーンのような複雑な形状の紐についても上手く捉えて制動することができる。
【００２３】
（実施の形態２）
図８は、この発明の実施の形態２に係る眼鏡保持具を示す組立図である。この眼鏡保持具２００は、摩擦材としてポリウレタン２０９，２１０を用いた点に特徴がある。前記調整機構２５０は、円形状の中空の本体２０１と、当該本体２０１の上下内面に設けた摩擦材としてのポリウレタン２０９，２１０と、眼鏡紐６０が通ることになる通り穴２１２と、眼鏡紐６０を折り返すための突起２０５とを有する。
【００２４】
前記本体２０１は、やや弾力性のあるプラスチック製であって上ケース２０４と下ケース２０３とを接着した構造である。前記突起２０５は円柱形状であって下ケース２０３から上に向って垂設される。また、突起２０５の上部は、上ケース２０４の対応する位置に設けた穴２０８に嵌合する。また、下ケース２０３の外側には、突起状の連結部２１４と、当該連結部２１４に設けたリング２１５とを有する。
【００２５】
摩擦材であるポリウレタン２０９，２１０は、中心に穴２１６を有する円板状である。このポリウレタン２０９，２１０は、下ケース２０３ではその穴２１６に突起２０５を通してケース内面に配置され、上ケース２０４では穴２０８とポリウレタン２０９の穴２１６とが一致するように内面に設けられる。
【００２６】
本体２０１を組み立てる場合は、眼鏡紐６０を、前記通し穴２１２を通じて本体に入れ、突起２０５に掛けて反対に折り返し、再び通し穴２１２を通じて本体２０１から出す。眼鏡紐６０の保持部２２と留め２３は本体２０１の外に位置する。次に、上ケース２０４を下ケース２０３に接着固定する。これにより、眼鏡紐６０が通し穴２１１，２１２から本体内部に通され、突起２０５に掛かって折り返し、再び通し穴２１１，２１２から出ている状態となり且つ眼鏡紐６０の一端には保持部２２が他端には留め２３が設けられているから、眼鏡紐６０が本体２０１から抜けてしまうことがない。
【００２７】
眼鏡紐６０は、本体２０１の内部にて上ケース２０４及び下ケース２０３に設けたポリウレタン２０９，２１０により挟まれる。すなわち、前記眼鏡紐６０は、ポリウレタン２０９，２１０に上下から挟まれて当該ポリウレタン２０９，２１０と加圧状態で接触し、その摩擦力により当該眼鏡紐６０が制動される。眼鏡紐６０とポリウレタン２０９，２１０との摩擦力は、ポリウレタン２０９とポリウレタン２１０との間隔により又は眼鏡紐６０の材質等により調整できる。この摩擦力による眼鏡紐６０の制動力は、眼鏡紐６０を手で引っ張ったときにはスムーズに動き、その一方で眼鏡を吊っているときには眼鏡の自重により動くことがない程度にする。
【００２８】
この調整機構２５０の本体２０１に設けた連結部２１４に、リング２１５を介して首掛け紐７０を接続する。２つの調整機構２５０は、この首掛け紐７０により接続されてユーザの首に掛けることができるようになる。なお、首掛け紐７０には、図７に示すように、上記従来の眼鏡ホルダーと同様の止め具３０を設けても良い。この首掛け紐７０は、レーヨン、絹、綿、ポリエステル等の繊維からなるものを用いることができる。
【００２９】
この眼鏡保持具２００の使用方法は、実施の形態１の眼鏡保持具１００と同じである。なお、眼鏡紐６０は、ポリウレタン２０９，２１０により挟まれてその摩擦力により制動されているだけなので、上記のように眼鏡紐６０を摩擦力以上の力で引っ張ることで当該眼鏡紐６０が調整機構２５０内を摺動する。そして、眼鏡紐６０を引っ張っていない状態では、ポリウレタン２０９，２１０との間の摩擦力により眼鏡紐６０が制動されるので、眼鏡が自重により下がることはない。
【００３０】
この実施の形態２に係る眼鏡保持具２００によっても、留め２３或いは留め２３側の眼鏡紐６０を引っ張ることで眼鏡を首の下近くに引き上げることができるので、眼鏡を外した際に眼鏡がぶらぶらと垂れ下がることがなく邪魔にならない。また、眼鏡を掛けるときは眼鏡紐６０を引っ張ることで簡単に適度な長さに調整できる。なお、上記摩擦材としてポリウレタンの他、スポンジ、ゴム等を用いることができる。
【００３１】
（実施の形態３）
図９は、この発明の実施の形態３にかかる眼鏡保持具を示す組立図である。この眼鏡保持具３００は、実施の形態２と同じ構造の調整機構２５０の本体２０１に対してU字形状の筒体３０９を固定し、この筒体の内部に眼鏡紐６０を挿通した点に特徴がある。この筒体３０９は本体２０１と同じ材料からなる。眼鏡紐６０はレーヨン、絹、綿、ポリエステルなどからなり所定の弾力性を有し、当該筒体３０９の内径は眼鏡紐６０の外径よりも若干小さい。これにより、眼鏡紐６０が筒体３０９に対して圧縮されて入ることになるから、眼鏡紐６０と筒体３０９との間に所定の摩擦力が得られる。これ以外の構成要素は実施の形態２と同じであるから、その説明を省略する。
【００３２】
この実施の形態３に係る眼鏡保持具３００によっても、実施の形態２と同じ作用効果が得られる。なお、筒体３０９の材質はゴムであってもよく、その場合は強い摩擦力が得られる。
【００３３】
（実施の形態４）
図１０は、この発明の実施の形態４にかかる眼鏡保持具を示す組立図である。この眼鏡保持具４００は、実施の形態２と同じ構造の調整機構２５０の本体２０１の突起２０５の位置を壁４０５側にずらして設け、この突起２０５と壁４０５との隙間に眼鏡紐６０を通した点に特徴がある。眼鏡紐６０はレーヨン、絹、綿、ポリエステル等からなり所定の弾力性を有し、当該隙間の寸法は眼鏡紐６０の外径よりも若干小さい。これにより、眼鏡紐６０が隙間に対して圧縮されて入ることになるから、眼鏡紐６０と隙間との間に所定の摩擦力が得られる。これ以外の構成要素は実施の形態２と同じであるから、その説明を省略する。この実施の形態４に係る眼鏡保持具によっても、実施の形態２と同じ作用効果が得られる。
【００３４】
以上の実施の形態１乃至４では、本発明を眼鏡を吊るすための眼鏡保持具として開示したが、眼鏡以外にも吊り対象物として携帯音楽プレーヤー、ヘッドフォンなどを吊るすことができる。
【図面の簡単な説明】
【００３５】
【図１】この発明の実施の形態１にかかる眼鏡保持具を示す説明図である。
【図２】紐を示す説明図である。
【図３】調整機構を示す組立図である。
【図４】調整機構を示す組立図である。
【図５】眼鏡紐を調整機構の本体に挿通した状態を示す組立図である。
【図６】この眼鏡保持具の使用方法を示す説明図である。
【図７】首掛け紐に止め具を設けた例を示す説明図である。
【図８】この発明の実施の形態２に係る眼鏡保持具を示す組立図である。
【図９】この発明の実施の形態３にかかる眼鏡保持具を示す組立図である。
【図１０】この発明の実施の形態４にかかる眼鏡保持具を示す組立図である。
【符号の説明】
【００３６】
１００  眼鏡保持具
５０  調整機構
６０  眼鏡紐
７０  首掛け紐
１  本体
３  下ケース
４  上ケース
５  突起
９，１０  植毛部
１１，１２  通し穴
１４  連結部
１５  リング
２２  保持部
２３  留め
【要約】      （修正有）【課題】眼鏡を首から吊るす際、眼鏡を保持する眼鏡紐の長さを調整し易くすること。【解決手段】この発明の眼鏡保持具は、眼鏡を吊って保持するための左右２本の眼鏡紐６０と、眼鏡紐６０の長さを調節する左右２個の調整機構５０と、調整機構５０同士を接続する首掛け紐７０とから構成されている。眼鏡紐６０は、その一端には眼鏡のつるを保持するための保持部２２が、他端には留め２３が設けられている。眼鏡を外して首から吊り下げた状態で留め２３を引っ張ると、調整機構５０で制動されていた眼鏡紐７０が内部を摺動し、眼鏡が引き上げられ所定位置に保持される。眼鏡を掛けるときは、眼鏡を引っ張ることで、再び調整機構５０で制動されていた眼鏡紐７０が内部を摺動し、眼鏡紐７０が引き出される。これにより、簡単に眼鏡紐の長さを調整できる。【選択図】図６【図１】
0004304679.tif 000002
【図２】
0004304679.tif 000003
【図３】
0004304679.tif 000004
【図４】
0004304679.tif 000005
【図５】
0004304679.tif 000006
【図６】
0004304679.tif 000007
【図７】
0004304679.tif 000008
【図８】
0004304679.tif 000009
【図９】
0004304679.tif 000010
【図１０】
0004304679.tif 000011